(57)【特許請求の範囲】
【請求項１】
下方にファンモーターを内蔵するモーター室と、前記モーター室の上部に設けられた集塵室と、前記集塵室の上方に設けられており把手部を有するハンドルと、前記集塵室の上方に設けられた制御回路基板と、前記集塵室の後方に設けられておりコードを収納するコード巻取り装置とを具備した掃除機本体と、前記掃除機本体の下部に回動自在に設けられており、吸い込み口と回転ブラシとを有する床ノズル本体と、前記集塵室に設けられた連通口に接続されるホースとを有し、前記ハンドル、前記制御回路基板、前記ファンモーター、及び前記コード巻取り装置は、前記掃除機本体の背面より取り付けられており、前記制御回路基板及び前記ハンドルは、前記掃除機本体の背面の上方を構成するカバー体Ａで覆われており、前記ファンモーター及び前記コード巻取り装置は、前記掃除機本体の背面の下方を構成する一体のカバー体で覆われており、前記掃除機本体の背面の上方を構成するカバー体Ａには略円弧状の凸部が設けられており、前記凸部には前記連通口に連通する開口部が設けられており、前記ファンモーター及び前記制御回路基板からの配線は、一部が前記コード巻取り装置の外周より大きい略円弧状の部分を有し、かつ、前記集塵室と前記カバー体との間で形成される凹リブ中で処理される構成とした電気掃除機。
【発明の詳細な説明】
【０００１】
【発明の属する技術分野】
本発明は、一般家庭にて、使用される縦型電気掃除機に関するものである。
【０００２】
【従来の技術】
従来、この種の縦型電気掃除機は、図５に示すような構成であった。すなわち、回転ブラシ１を内蔵する床ノズル本体２は、掃除機本体３の下部に回動自在に取り付けられ、掃除機本体３の下部には、ファンモーター４を内蔵したモーター室５、モーター室５の上部に集塵室６、また、集塵室６の上方にハンドル７と、ファンモーター４を制御する制御回路基板８が配置され、集塵室６の後面には、コード巻き取り装置９が配設されている。
【０００３】
制御回路基板８は、掃除機本体３の前方からのカバー体１０で覆われ、コード巻き取り装置９は、掃除機本体３の後方からのコード巻き取り装置カバー１１で覆われている。また、ファンモーター４は、掃除機本体３の前方からのモーターカバー１２で覆われ係止されている。
【０００４】
【発明が解決しようとする課題】
しかし、従来の縦型電気掃除機の組立てについては、ファンモーター４は、掃除機本体３の前方から組立て、モーターカバー１２を取り付け、一方、コード巻き取り装置９は、掃除機本体３の後方から組立て、コード巻き取り装置カバー１１を取り付けるといった組立てをしており、組立ての際、掃除機本体３を表向けにしたり、裏向けにしたりして組立て作業が面倒であった。また、サービス時の縦型電気掃除機の分解の時も、同様に本体を表向けにしたり、裏向けにしたりして作業が面倒であった。
【０００５】
そこで、本発明は上記問題点を解決しょうとするもので、組立に際して、分解、組立てに係る部品点数を少なくして、組立て作業時間の短縮と作業性の向上を図ることのできる縦型電気掃除機を提供することを目的とするものである。
【０００６】
【課題を解決するための手段】
上記目的を達成するために本発明は、下方にファンモーターを内蔵するモーター室と、前記モーター室の上部に設けられた集塵室と、前記集塵室の上方に設けられており把手部を有するハンドルと、前記集塵室の上方に設けられた制御回路基板と、前記集塵室の後方に設けられておりコードを収納するコード巻取り装置とを具備した掃除機本体と、前記掃除機本体の下部に回動自在に設けられており、吸い込み口と回転ブラシとを有する床ノズル本体と、前記集塵室に設けられた連通口に接続されるホースとを有し、前記ハンドル、前記制御回路基板、前記ファンモーター、及び前記コード巻取り装置は、前記掃除機本体の背面より取り付けられており、前記制御回路基板及び前記ハンドルは、前記掃除機本体の背面の上方を構成するカバー体Ａで覆われており、前記ファンモーター及び前記コード巻取り装置は、前記掃除機本体の背面の下方を構成する一体のカバー体で覆われており、前記掃除機本体の背面の上方を構成するカバー体Ａには略円弧状の凸部が設けられており、前記凸部には前記連通口に連通する開口部が設けられており、前記ファンモーター及び前記制御回路基板からの配線は、一部が前記コード巻取り装置の外周より大きい略円弧状の部分を有し、かつ、前記集塵室と前記カバー体との間で形成される凹リブ中で処理される構成としたため、組立て方向が後面からのみに統一され組立て作業時間を短縮させ、かつ、作業性を容易にすることができる。
【０００７】
【発明の実施の形態】
本発明の請求項１記載の発明は、下方にファンモーターを内蔵するモーター室と、前記モーター室の上部に設けられた集塵室と、前記集塵室の上方に設けられており把手部を有するハンドルと、前記集塵室の上方に設けられた制御回路基板と、前記集塵室の後方に設けられておりコードを収納するコード巻取り装置とを具備した掃除機本体と、前記掃除機本体の下部に回動自在に設けられており、吸い込み口と回転ブラシとを有する床ノズル本体と、前記集塵室に設けられた連通口に接続されるホースとを有し、前記ハンドル、前記制御回路基板、前記ファンモーター、及び前記コード巻取り装置は、前記掃除機本体の背面より取り付けられており、前記制御回路基板及び前記ハンドルは、前記掃除機本体の背面の上方を構成するカバー体Ａで覆われており、前記ファンモーター及び前記コード巻取り装置は、前記掃除機本体の背面の下方を構成する一体のカバー体で覆われており、前記掃除機本体の背面の上方を構成するカバー体Ａには略円弧状の凸部が設けられており、前記凸部には前記連通口に連通する開口部が設けられており、前記ファンモーター及び前記制御回路基板からの配線は、一部が前記コード巻取り装置の外周より大きい略円弧状の部分を有し、かつ、前記集塵室と前記カバー体との間で形成される凹リブ中で処理される構成としている為、組立て作業性を容易にすると共に、カバー体を、モーターカバーとコード巻き取り装置カバーを兼ねたりすることにより部品点数を少なくすることが可能となる。また集塵室内の気密性を向上させることができる。また、ホースが屈曲した際、略円弧状の凸部がホースの損傷を防止させることができる。
【０００８】
【実施例】
（実施例１）
以下、本発明の第１の実施例について図１〜図４を用いて説明する。図１は、電気掃除機の正面図であり、図２は、電気掃除機の部分断面側面図である。図３は、電気掃除機の分解斜視図であり、図４は、電気掃除機の部分断面背面図である。
【０００９】
１３は、下方にファンモーター１４を内蔵したモーター室１５、このモーター室１５の上部に集塵室１６が形成され、集塵室１６の上方に把手部１７を有するハンドル１８と、ファンモーター１４を制御する制御回路基板１９が具備された掃除機本体である。
【００１０】
掃除機本体１３の下部には、床面のゴミ等を吸い込む吸い込み口２０を有した床ノズル本体２１が接続されおり、床ノズル本体２１には、床面のゴミ等をかきあげる回転ブラシ２２が内蔵されている。
【００１１】
掃除機本体１３は、床ノズル本体２１の回動軸２３を支点として、回動自在に設けられている。
【００１２】
コード２４を収納するコード巻取り装置２５は、掃除機本体１３の背面で、集塵室１６後方に配設され、ファンモーター１４も同様に掃除機本体１３の背面より組込まれ、最後にコード巻取り装置２５とともにカバー体２６で覆われ、ビス等で係止されている。制御回路基板１９は、掃除機本体１３に設けた係止リブ２７にはさみ込まれ、また、ハンドル１８の突出部２８は、掃除機本体１３に設けたガイドリブ２９によって圧入固着されている。
【００１３】
３０は、制御回路基板１９及び、ハンドル１８を覆い、かつ、係止させるカバー体Ａである。吸い込み口２０に連通した接続パイプ３１は、ホース３２と接続され、その一端には、吸気パイプ３３が接続され、吸気パイプ３３は、集塵室１６の後面部３４で、回転自在に設けられ連通口３５に連通されている。
【００１４】
上記構成より、図３で示すように、掃除機本体１３の組み立ての際、ハンドル１８、制御回路基板１９、ファンモーター１４、コード巻取り装置２５等の付属部品は、掃除機本体１３の後面から組込みといった方向性ができ組立てが容易となる。またファンモーター１４、コード巻取り装置２５等の２部品を、カバー体２６一つで、覆う構成としたため、部品点数を少なくすることが可能となる。
【００１５】
又、図２、図４に示すように、ファンモーター１４及び、制御回路基板１９からの配線３６は、集塵室１６の外側で、集塵室１６とカバー体２６及び、カバー体Ａ３０との間で形成された凹リブ３６ａの中で固着し処理されている。
【００１６】
この構成より、集塵室１６内への配線３６の処理の為の切り欠きがなくなり、集塵室１６内の気密性を向上させ、また、集塵室１６内を簡略し金型構成が容易となり製造コストが安価となる。
【００１７】
又、図２に例示するように、掃除機本体１３の背面で、かつ、ホース３２と連通している吸気パイプ３３外周に略円弧状の凸部３７が設けられている
この構成より、ホース３２が大きく屈曲した際、略円弧状の凸部４２がホース３２を保護しホース３２の損傷を防止する。
【００１８】
【発明の効果】
本発明の請求項１記載の発明よれば、集塵室内の切り欠き部がなくなり、集塵室内のタイト制を向上させ、十分な集塵効果を得ることができる。また、ハンドル、ファンモーター等の付属部品は、掃除機本体の同一方向から組立てが出来るため分解、組立てが容易となり、作業時間の短縮を図り、さらに、２部品以上の付属部品を、カバー体一つで覆うことより、部品点数を削減させることができる。
【図面の簡単な説明】
【図１】  本発明の第１の実施例を示す縦型電気掃除機の正面図
【図２】  同電気掃除機の部分断面側面図
【図３】  同電気掃除機の分解斜視図
【図４】  同電気掃除機の部分断面背面図
【図５】  従来の縦型電気掃除機の部分断面側面図
【符号の説明】
１３  掃除機本体
１４  ファンモーター
１５  モーター室
１６  集塵室
１７  把手部
１８  ハンドル
１９  制御回路基板
２０  吸い込み口
２１  床ノズル本体
２２  回転ブラシ
２６  カバー体
３１  接続パイプ
３２  ホース
３３  吸気パイプ
３５  連通口
３６  配線
３７  略円弧状の凸部
【図１】
0004482999.tif 000002
【図２】
0004482999.tif 000003
【図３】
0004482999.tif 000004
【図４】
0004482999.tif 000005
【図５】
0004482999.tif 000006